(57)【特許請求の範囲】
【請求項１】
用紙を搬送する搬送路を開放する開放位置と、前記搬送路を閉じる閉塞位置との間で装置本体に支持された回転軸を中心として移動可能に支持された開閉部材と、
前記用紙を収容し前記装置本体に離接可能に保持された収容装置と、を備え、
前記収容装置は、前記装置本体に設けられた係合凸部と係合可能な傾斜面が形成された係合凹部を有し、前記傾斜面が、所定の水平衝撃力以下では前記係合凸部との係合が維持される垂直分力となる傾斜角度を有し、前記収容装置が水平方向に押圧された際に、前記係合凸部が前記傾斜面に接触しながら前記係合凹部が相対移動して前記係合凸部との係合が解除されて移動可能となり、
前記開閉部材が前記開放位置に移動する場合に、前記開閉部材の外面が前記収容装置の側面の一端に接触して前記収容装置を前記装置本体から離間させ、前記収容装置が前記装置本体に向って移動する場合に、前記収容装置の側面の一端が前記開閉部材の外面と接触して前記開閉部材を前記閉塞位置へ移動させる、
ことを特徴とする画像形成装置。
【請求項２】
上下方向に多段に配置された用紙トレイから送り出された用紙を前記装置本体に向かって搬送する第２の搬送路を開放する開放位置と、前記第２の搬送路を閉じる閉塞位置との間で移動可能に支持された第２の開閉部材を更に備え、
前記収容装置が、前記装置本体から離間するように移動する場合に、前記第２の開閉部材の前記装置本体への係合を解除する解除手段を備えた、
ことを特徴とする請求項１に記載の画像形成装置。
【請求項３】
前記第２の開閉部材は、回転可能に設けられ前記装置本体の被係合部に係合する係合部と、前記係合部を係合方向と反対方向へ移動させる操作部と、を有し、
前記解除手段は、先端Ｒ形状を有し前記操作部に係合する係合位置と前記操作部から離間する離間位置との間で回転可能なフック部材と、前記フック部材を前記操作部から離間させる方向に付勢する付勢手段と、前記フック部材の回転を阻止する阻止位置と前記フック部材の回転を許容する許容位置との間で移動可能に支持されたリンク部材と、からなり、
前記収容装置が前記装置本体から離間するように移動する場合に、前記係合部の前記被係合部との係合が解除された後、前記リンク部材が前記許容位置に移動して、前記フック部材の前記操作部との係合が解除される、
ことを特徴とする請求項２に記載の画像形成装置。
【請求項４】
前記収容装置が前記装置本体に向って移動する場合に、前記リンク部材が前記フック部材に接触して、前記フック部材が前記操作部に係合する、
ことを特徴とする請求項３に記載の画像形成装置。
【発明の詳細な説明】
【技術分野】
【０００１】
本発明は、画像形成装置に関する。
【背景技術】
【０００２】
搬入搬送ユニットを底部に備える装置本体の下部に大容量デッキ装置を配置するとともに、該大容量デッキ装置の側部にサイド給紙装置を配置し、大容量デッキ装置の上面に、装置本体の下面に開口する搬入口に連通する排出口を開口せしめ、装置本体のサイド給紙装置が配置される側の側部に、排出口へと用紙をガイドする搬送ガイドを備えた垂直搬送カバーを開閉可能に設けて成る画像形成装置において、垂直搬送ユニットを水平移動可能に構成し、垂直搬送カバーの搬送ガイドを垂直搬送ユニットの水平移動に連動して回動させ、大容量デッキ装置の排出口に連通する垂直搬送路を開くよう構成した画像形成装置が知られている（特許文献１）。
【先行技術文献】
【特許文献】
【０００３】
【特許文献１】特開２０１４−１４４８４１号公報
【発明の概要】
【発明が解決しようとする課題】
【０００４】
本発明は、外付けの収容装置を付けた際に使用者が容易にジャム紙を除去することができる画像形成装置を提供することを目的とする。
【課題を解決するための手段】
【０００５】
前記課題を解決するために、請求項１に記載の画像形成装置は、
用紙を搬送する搬送路を開放する開放位置と、前記搬送路を閉じる閉塞位置との間で装置本体に支持された回転軸を中心として移動可能に支持された開閉部材と、
前記用紙を収容し前記装置本体に離接可能に保持された収容装置と、を備え、
前記収容装置は、前記装置本体に設けられた係合凸部と係合可能な傾斜面が形成された係合凹部を有し、前記傾斜面が、所定の水平衝撃力以下では前記係合凸部との係合が維持される垂直分力となる傾斜角度を有し、前記収容装置が水平方向に押圧された際に、前記係合凸部が前記傾斜面に接触しながら前記係合凹部が相対移動して前記係合凸部との係合が解除されて移動可能となり、
前記開閉部材が前記開放位置に移動する場合に、前記開閉部材の外面が前記収容装置の側面の一端に接触して前記収容装置を前記装置本体から離間させ、前記収容装置が前記装置本体に向って移動する場合に、前記収容装置の側面の一端が前記開閉部材の外面と接触して前記開閉部材を前記閉塞位置へ移動させる、
ことを特徴とする。
【０００９】
請求項２に記載の発明は、請求項１に記載の画像形成装置において、
上下方向に多段に配置された用紙トレイから送り出された用紙を前記装置本体に向かって搬送する第２の搬送路を開放する開放位置と、前記第２の搬送路を閉じる閉塞位置との間で移動可能に支持された第２の開閉部材を更に備え、
前記収容装置が、前記装置本体から離間するように移動する場合に、前記第２の開閉部材の前記装置本体への係合を解除する解除手段を備えた、
ことを特徴とする。
【００１０】
請求項３に記載の発明は、請求項２に記載の画像形成装置において、
前記第２の開閉部材は、回転可能に設けられ前記装置本体の被係合部に係合する係合部と、前記係合部を係合方向と反対方向へ移動させる操作部と、を有し、
前記解除手段は、先端Ｒ形状を有し前記操作部に係合する係合位置と前記操作部から離間する離間位置との間で回転可能なフック部材と、前記フック部材を前記操作部から離間させる方向に付勢する付勢手段と、前記フック部材の回転を阻止する阻止位置と前記フック部材の回転を許容する許容位置との間で移動可能に支持されたリンク部材と、からなり、
前記収容装置が前記装置本体から離間するように移動する場合に、前記係合部の前記被係合部との係合が解除された後、前記リンク部材が前記許容位置に移動して、前記フック部材の前記操作部との係合が解除される、
ことを特徴とする。
【００１１】
請求項４に記載の発明は、請求項３に記載の画像形成装置において、
前記収容装置が前記装置本体に向って移動する場合に、前記リンク部材が前記フック部材に接触して、前記フック部材が前記操作部に係合する、
ことを特徴とする。
【発明の効果】
【００１２】
請求項１に記載の発明によれば、外付けの収容装置を付けた際に開閉部材を開閉する操作力を軽減して使用者が容易にジャム紙を除去することができる。
請求項２に記載の発明によれば、使用者が容易にジャム紙を除去することができる。
請求項３に記載の発明によれば、収容装置を装置本体から離間させる操作で用紙搬送路を開放することができる。
請求項４に記載の発明によれば、収容装置を装着方向へ移動する操作で第２の開閉部材を閉鎖することができる。
【図面の簡単な説明】
【００１３】
【図１】画像形成装置の内部構成を示す断面模式図である。
【図２】画像形成装置における収容装置を離間させた状態を示す斜視図である。
【図３】収容装置の固定方法を説明する模式図である。
【図４】開閉部材を開放する際の収容装置の移動を示す断面模式図である。
【図５】収容装置の画像形成装置への装着面側の構成を示す斜視図である。
【図６】解除装置の構成を示す斜視図である。
【図７】解除装置と第２の開閉部材との係合状態を収容装置を不図示にして示す斜視図である。
【図８】収容装置と第２の開閉部材が連結した状態を示す断面模式図である。
【図９】収容装置が離間方向に移動を開始したときの第２の開閉部材とトレイモジュールとの係合が解除される状態を示す断面模式図である。
【図１０】収容装置が離間方向に移動して第２の開閉部材の操作ハンドルからフック部材が抜ける状態を示す断面模式図である。
【図１１】収容装置が離間方向に移動して第２の開閉部材が開放位置に移動した状態を示す断面模式図である。
【図１２】収容装置が装着方向に移動して第２の開閉部材の操作ハンドルの裏面側にフック部材が入り込む状態を示す断面模式図である。
【発明を実施するための形態】
【００１４】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１５】
「第１実施形態」
（１）画像形成装置の全体構成及び動作
図１は画像形成装置１の内部構成を示す断面模式図である。
以下、図面を参照しながら、画像形成装置１の全体構成及び動作を説明する。
【００１６】
画像形成装置１は、制御装置１０、給紙装置２０、感光体ユニット３０、現像装置４０、転写装置５０、定着装置６０、トレイモジュール７０、収容装置８０を備えて構成されている。画像形成装置１の上面（Ｚ方向）には、画像が記録された用紙が排出・収容される排紙トレイ部ＴＲが形成されている。
【００１７】
制御装置１０は、画像形成装置１の動作を制御するコントローラ１１と、コントローラ１１により作動を制御される画像処理部１２、電源装置１３等を有する。電源装置１３は、感光体ユニット３０、現像装置４０、転写装置５０等に電圧を印加する。
画像処理部１２は、外部の情報送信装置（例えばパーソナルコンピュータ等）から入力された印刷情報を潜像形成用の画像情報に変換して予め設定されたタイミングで、駆動信号を露光装置ＬＨに出力する。
【００１８】
画像形成装置１本体の底部には、２段で構成された用紙トレイ２１、２２を有する給紙装置２０が設けられ、用紙トレイ２１、２２に積載された用紙Ｐは、規制板（不図示）で幅方向位置が決められ、上側から１枚ずつ用紙引き出し部２３により前方（−Ｘ方向）に引き出される。用紙引き出し部２３から引き出された用紙Ｐは、第１の用紙搬送路Ｓ１を介してレジストローラ対２４のニップ部まで搬送される。
【００１９】
給紙装置２０の下方には、上下方向に多段（本実施形態においては２段）に配置されて、用紙Ｐを収容する複数の用紙トレイＴ１、Ｔ２からなるトレイモジュール７０が接続されている。用紙トレイＴ１、Ｔ２から送り出された用紙Ｐは、第２の用紙搬送路Ｓ２を介して第１の用紙搬送路Ｓ１からレジストローラ対２４のニップ部に向かって搬送される。
【００２０】
画像形成装置１本体の側方には収容装置８０が接続されている。収容装置８０は、いわゆる大容量給紙装置であり、２０００枚ないし３０００枚の用紙を収容し、一対のレール８１により支持されて画像形成装置１本体に脱着可能に構成されている。
収容装置８０には用紙Ｐを積載し上下動が可能であるボトムプレート８２が配置され、このボトムプレート８２はワイヤ（不図示）を介して、図示しないリフトアップモータにより給紙位置まで上昇して給紙可能な状態となる。
【００２１】
感光体ユニット３０は、給紙装置２０の上方（Ｚ方向）に、それぞれが並列して設けられ、回転駆動する感光体ドラム３１を備えている。それぞれの感光体ドラム３１上にはそれぞれの現像装置４０によってイエロー（Ｙ）、マゼンタ（Ｍ）、シアン（Ｃ）、黒（Ｋ）のトナー像が形成される。
【００２２】
各感光体ユニット３０の感光体ドラム３１に形成された各色トナー像は、転写装置５０の中間転写ベルト５１上に順次静電転写（一次転写）され、各色トナーが重畳された重畳トナー像が形成される。中間転写ベルト５１上の重畳トナー像は、レジストローラ対２４から送り出され、搬送ガイドにより案内された用紙Ｐに二次転写ローラ５２によって一括転写される。
【００２３】
定着装置６０は一対の加熱モジュール６１と加圧モジュール６２の圧接領域によって定着ニップ部（定着領域）が形成される。
転写装置５０においてトナー像が一括転写された用紙Ｐは、トナー像が未定着の状態で搬送ガイド５３を介して定着装置６０の定着ニップ部に搬送され、一対の加熱モジュール６１と加圧モジュール６２により、圧着と加熱の作用でトナー像が定着される。定着トナー像が形成された用紙Ｐは、排出ローラ対６３から画像形成装置１上面の排紙トレイ部ＴＲに排出・収容される。
【００２４】
（２）収容装置の移動と開閉部材の開閉
図２は画像形成装置１における収容装置８０を離間させた状態を示す斜視図、図３は収容装置８０の固定方法を説明する模式図、図４は開閉部材１００を開放する際の収容装置８０の移動を示す断面模式図である。
以下、図面を参照しながら、画像形成装置１の開閉部材１００の開閉と収容装置８０の移動について説明する。
【００２５】
（２．１）開閉部材の構成
図２に示すように、収容装置８０は、支持台８３の上に左右一対のレール８１により水平移動可能に支持されて画像形成装置１本体の側方に脱着されるように構成されている。
【００２６】
画像形成装置１本体の側方（図１における−Ｘ方向）には、開閉部材１００が設けられている。開閉部材１００は、給紙装置２０の第１の用紙搬送路Ｓ１から排出ローラ対６３までの用紙搬送路を一体に外部に開放する開放位置と、給紙装置２０の第１の用紙搬送路Ｓ１から排出ローラ対６３までの用紙搬送路を一体に閉じる閉塞位置との間で開閉可能に回転支持されている。
【００２７】
開閉部材１００の外面側には、収容装置８０から繰り出される用紙Ｐを受け入れる用紙受入口１０１が設けられている。開閉部材１００の上方（図１におけるＺ方向）には、開閉操作を行う操作ハンドル１０２が回転操作可能に設けられ、画像形成装置１本体との係合を解除する。
【００２８】
開閉部材１００の下方（図１における−Ｚ方向）には、第２の開閉部材１１０が設けられている。第２の開閉部材１１０は、トレイモジュール７０の第２の用紙搬送路Ｓ２を一体に外部に開放する開放位置と、第２の用紙搬送路Ｓ２を一体に閉じる閉塞位置との間で開閉可能に回転支持されている。第２の開閉部材１１０には操作ハンドル１１１が回転操作可能に設けられ、トレイモジュール７０との係合を解除する。
【００２９】
（２．２）開閉部材の開閉操作と収容装置の移動
図３（ａ）に示すように、収容装置８０は画像形成装置１本体に固定された支持台８３に設けられた係合凸部の一例としての係合ボス８４に上下方向（Ｚ方向）に移動可能なリンク部材８５の一端に形成された係合凹部８６が係合することで水平方向に固定されている。用紙搬送装置８０の支持台８３への固定を解除する場合には、リンク部材８５に回転可能に連結された操作ハンドル８７を回転操作することで、リンク部材８５の係合凹部８６と支持台８３の係合ボス８４との係合が解除されて水平移動可能な状態となる。
【００３０】
開閉部材１００の開放操作によって、画像形成装置１本体から離間する水平方向に押圧（図中  矢印Ｒｈ参照）された収容装置８０には、図３（ｂ）に示すように、リンク部材８５の係合凹部８６を構成する傾斜面８６ａに水平方向（Ｘ方向）の押圧力Ｆｈが作用すると同時に、リンク部材８５を上方（Ｚ方向）に持ち上げようとする垂直分力Ｆｖが作用する。
【００３１】
傾斜面８６ａは、地震等が発生して収容装置８０に水平衝撃力が作用した場合であっても、安全性の要請から所定の水平衝撃力以下ではリンク部材８５の支持台８３の係合ボス８４との係合が維持される垂直分力Ｆｖとなる傾斜角度とされている。
【００３２】
図４に示すように、開閉部材１００の回転中心１０３は、収容装置８０の上面８０ａよりも画像形成装置１本体の下方に設けられている。そのために、開閉部材１００の操作ハンドル１０２を操作して開放位置に移動する際（図３中  矢印Ｒ参照）には、開閉部材１００の外面１００ａが収容装置８０の側面の一端８０ａｂと接触する。
【００３３】
収容装置８０の側面の一端８０ａｂと接触した開閉部材１００は、回転軸１０３を支点とし、開閉部材１００の外面１００ａが収容装置８０の側面の一端８０ａｂとの接触部をてこの原理の作用点として収容装置８０を画像形成装置１本体から離間する水平方向に押圧する（図３中  矢印Ｒｈ参照）。
【００３４】
その結果、開閉部材１００の操作ハンドル１０２と回転軸１０３との距離をＬ１、収容装置８０の側面の一端８５ａｂと回転軸１０３との距離をＬ２として、収容装置８０には使用者が開閉部材１００の操作ハンドル１０２を操作して開閉部材１００を開放する操作力のＬ１／Ｌ２倍の押圧力Ｆｈが作用する。
係る操作力に基づくリンク部材８５に作用する垂直分力Ｆｖが所定の水平衝撃力に基づく垂直分力Ｆｖよりも大きい場合には、リンク部材８５の支持台８３への固定が解除され（図３（ｃ）参照）て水平移動が可能になる。そのために、開閉部材１００の開放操作によって、第１の用紙搬送路Ｓ１から排出ローラ対６３までの用紙搬送路を軽い操作力で開放して容易にジャム除去を行うことができる。
【００３５】
開閉部材１００を閉鎖位置に閉じる場合には、画像形成装置１本体から離間した状態の収容装置８０を画像形成装置１本体に向って移動させることで、収容装置８０の側面の一端８０ａｂが開閉部材１００の外面１００ａに接触して開閉部材１００を閉鎖位置に移動させることができる。
【００３６】
「第２実施形態」
図５は本実施形態に係る収容装置８０の画像形成装置１への装着面側の構成を示す斜視図、図６は解除装置９０の構成を示す斜視図、図７は解除装置９０と第２の開閉部材１１０との係合状態を収容装置８０を不図示にして示す斜視図である。
以下、図面を参照しながら解除装置９０の構成と動作について説明するが、第１実施形態に係る画像形成装置１と同一の構成要素には同一の符号を付し、その詳細な説明は省略する。
（１）解除装置の構成
図５に示すように、収容装置８０の画像形成装置１への装着面側には、収容装置８０が画像形成装置１本体に対して脱着する際に、第２の開閉部材１１０の開閉を行う解除装置９０を構成するフック部材９１とリンク部材９６の一部が突出して設けられている。解除装置９０は、図７に示すように収容装置８０が画像形成装置１本体に装着された状態では、フック部材９１のフック部９３が第２の開閉部材１１０の操作ハンドル１１１の裏面側に潜り込んだ状態で位置している。
【００３７】
図６に示すように、解除装置９０はフック部材９１と、フック部材９１を操作ハンドル１１１から離間させる方向に付勢する付勢手段としてのトーションバネ９５と、リンク部材９６から構成されている。
【００３８】
フック部材９１は、回転軸９２の一端側に全体形状が鉤型のフック部９３が固定され、他端側にはアーム部９４が固定されている。フック部９３は先端部９３ａが断面視大きなＲ形状とされ、第２の開閉部材１１０の操作ハンドル１１１の裏面側に潜り込む際の誘い込み部を形成している。アーム部９４は、リンク部材９６と接触している状態ではトーションバネ９５によって回転付勢されているフック部材９１の回転を阻止している。
【００３９】
リンク部材９６は、画像形成装置１本体に向って移動可能に支持され、コイルスプリング９７で常に画像形成装置１本体側へ付勢されている。その結果、収容装置８０が画像形成装置１に装着された状態では、収容装置８０側に移動した状態で位置してフック部材９１のアーム部９４と接触してフック部材９１の回転を阻止する。
【００４０】
（２）第２の開閉部材の開閉
図８は収容装置８０と第２の開閉部材１１０が連結した状態を示す断面模式図、図９は収容装置８０が離間方向に移動を開始したときの第２の開閉部材１１０とトレイモジュール７０との係合が解除される状態を示す断面模式図、図１０は収容装置８０が離間方向に移動して第２の開閉部材１１０の操作ハンドル１１１からフック部材９１が抜ける状態を示す断面模式図、図１１は用紙搬送装置８０が離間方向に移動して第２の開閉部材１１０が開放位置に移動した状態を示す断面模式図、図１２は収容装置８０が装着方向に移動して第２の開閉部材１１０の操作ハンドル１１１の裏面側にフック部材９１が入り込む状態を示す断面模式図である。
以下、図面を参照しながら収容装置８０の移動に伴う第２の開閉部材１１０の開閉動作について説明する。
【００４１】
（２．１）第２の開閉部材の開放位置への移動
図８に示すように、収容装置８０が画像形成装置１本体に装着された状態では、第２の開閉部材１１０の係合部１１２がトレイモジュール７０の被係合部７１に係合した状態で、解除装置９０のフック部材９１が第２の開閉部材１１０の操作ハンドル１１１の裏面側に入り込んでいる。
係る状態から、例えば、開閉部材１００を開放位置へ移動させると、図９に示ように、収容装置８０が画像形成装置１本体から離間する方向に移動（図中  Ｒ参照）を開始して、操作ハンドル１１１がフック部材９１のフック部９３により回転力を受けて、第２の開閉部材１１０の係合部１１２とトレイモジュール７０の被係合部７１との係合が解除される。
【００４２】
図１０に示すように、収容装置８０の画像形成装置１本体からの離間に伴って、画像形成装置１本体（図中  二点鎖線で示す）に向って移動可能に付勢されたリンク部材９６が画像形成装置１本体側へ移動して、フック部材９１のアーム部９４との接触が解除され、フック部材９１のフック部９３は、トーションバネ９５の付勢力によって操作ハンドル１１１から抜けるように回転する（図中  矢印Ｒ１参照）。
【００４３】
フック部材９１のフック部９３が操作ハンドル１１１から抜けて、収容装置８０が更に画像形成装置１本体からの離間するように移動すると、第２の開閉部材１１０は図１１に示すように、開放位置まで移動してトレイモジュール７０の第２の用紙搬送路Ｓ２が開放されてジャム除去が可能な状態となる。
このように、トレイモジュール７０が接続された画像形成装置１において、画像形成装置１本体の側部に収容装置８０が接続された状態で、開閉部材１００の開放操作を行うことで、収容装置８０が離間するように移動しながら、トレイモジュール７０の第２の開閉部材１１０を開放位置へ移動させ、容易にジャム除去を行うことができる。
【００４４】
（２．２）第２の開閉部材の閉鎖位置への移動
開放された第２の開閉部材１１０を閉塞位置に移動させる場合には、図１２に示すように、収容装置８０を画像形成装置１本体側へ向って移動（図中  矢印Ｒ参照）させると、収容装置８０が第２の開閉部材１１０の外面１１０ａと接触して第２の開閉部材１１０をトレイモジュール７０に向って移動させる。
【００４５】
係る状態で、コイルスプリング９７の付勢力で画像形成装置１本体側へ突出したリンク部材９６が画像形成装置１本体（図中  二点鎖線で示す）に接触して移動する収容装置８０側へ移動（図中  矢印Ｒ２参照）して、アーム部９４と接触して、トーションバネ９５で操作ハンドル１１１とは離間する方向に付勢されたフック部材９１を上方（Ｚ方向）に回転させる（図中  矢印Ｒ１参照）。その結果、先端部９３ａが断面視大きなＲ形状とされたフック部９３は操作ハンドル１１１の裏面側へ入り込む状態となる。
【００４６】
更に収容装置８０が画像形成装置１本体側へ移動すると、図９に示すような第２の開閉部材１１０の係合部１１２がトレイモジュール７０の被係合部７１に係合する直前の状態を経て、図８に示すように、第２の開閉部材１１０の係合部１１２がトレイモジュール７０の被係合部７１に係合する。
そして、収容装置８０が画像形成装置１本体に装着された状態では、解除装置９０のフック部９３は操作ハンドル１１１の裏面側に入り込んで係合した状態となる。
【００４７】
尚、第２の開閉部材１１０の開閉に際しては、開閉部材１００の開放操作は行わず、収容装置８０のみを画像形成装置１本体から離間するように移動させ、また、離間した収容装置８０のみを画像形成装置１本体側へ移動させて接続してもよい。
【００４８】
本実施形態に係る画像形成装置１によれば、給紙装置２０の下方にトレイモジュール７０が接続されている場合であっても、用紙搬送装置８０の移動操作に連動して第２の開閉部材１１０の開閉を行い、容易にジャム除去を行うことができる。  
【符号の説明】
【００４９】
１・・・画像形成装置
１０・・・制御装置
２０・・・給紙装置
３０・・・感光体ユニット
４０・・・現像装置
５０・・・転写装置
６０・・・定着装置
７０・・・トレイモジュール
７１・・・被係合部（トレイモジュール７０）
８０・・・収容装置
８１・・・レール
８３・・・支持台
８４・・・係合ボス
８５・・・リンク部材
８６・・・係合凹部
８６ａ・・・斜面部
８７・・・操作ハンドル（収容装置）
９０・・・解除装置
９１・・・フック部材
９３・・・フック部
９４・・・アーム部
９５・・・トーションバネ
９６・・・リンク部材
１００・・・開閉部材
１０２・・・操作ハンドル
１０３・・・回転軸
１１０・・・第２の開閉部材
１１１・・・操作ハンドル
１１２・・・係合部（第２の開閉部材１１０）
Ｔ１、Ｔ２・・・用紙トレイ（トレイモジュール７０）
Ｐ・・・用紙
【図１】
0006780283.tif 000002
【図２】
0006780283.tif 000003
【図３】
0006780283.tif 000004
【図４】
0006780283.tif 000005
【図５】
0006780283.tif 000006
【図６】
0006780283.tif 000007
【図７】
0006780283.tif 000008
【図８】
0006780283.tif 000009
【図９】
0006780283.tif 000010
【図１０】
0006780283.tif 000011
【図１１】
0006780283.tif 000012
【図１２】
0006780283.tif 000013